(57)【要約】【課題】本発明は、スライドパッドの脱落及びビスによるジブ体の傷つきを防ぐことが可能であるとともに、ジブ体の強度を低下させることなくスライドパッドをジブ体に取付可能なジブ用スライドパッド取付構造を提供することを目的とする。【解決手段】複数のジブ体７１〜７３が嵌挿されてなる伸縮自在なジブ７において、ジブ体７２の内側面７２ｉと摺動するスライドパッド１０を、ジブ体７３の基端側に取り付けたジブ用スライドパッド取付構造である。ジブ体７３には、ジブ体７２の内側面７２ｉに向かって突出する支持部材２３が設置されており、前記スライドパッド１０は、前記支持部材２３の突出方向と垂直な方向への相対移動が拘束されるように当該支持部材２３に対して嵌め込まれている。【選択図】図８
2008265928.tif 000002
【特許請求の範囲】
【請求項１】
複数のジブ体が嵌挿されてなる伸縮自在なジブにおいて、一のジブ体と当該一のジブ体の外側に配置される他のジブ体との間に配置されて当該他のジブ体の内側面と摺動するスライドパッドを、前記一のジブ体の基端側に取り付けたジブ用スライドパッド取付構造であって、
前記一のジブ体には、前記他のジブ体の内側面に向かって突出する支持部材が設置されており、
前記スライドパッドは、前記支持部材の突出方向と垂直な方向への相対移動が拘束されるように当該支持部材に対して嵌め込まれていることを特徴とするジブ用スライドパッド取付構造。
【請求項２】
前記スライドパッドは、前記他のジブ体の内側面との摺動面を有するパッド頭部と、当該パッド頭部における前記摺動面と逆側の端部から中空状に延びるパッド胴部と、を有し、前記支持部材の先端に当該パッド胴部が外嵌されていることを特徴とする請求項１に記載のジブ用スライドパッド取付構造。
【請求項３】
前記支持部材は、前記一のジブ体からの突出長さを調整可能に固定されていることを特徴とする請求項１又は請求項２に記載のジブ用スライドパッド取付構造。
【請求項４】
前記支持部材は、軸方向における少なくとも一部に雄ねじが螺刻された軸状部材として構成され、前記一のジブ体に形成されたねじ孔に対して螺着されていることを特徴とする請求項３に記載のジブ用スライドパッド取付構造。
【請求項５】
前記支持部材は、前記一のジブ体の内側から前記突出長さを調整可能であることを特徴とする請求項３に記載のジブ用スライドパッド取付構造。
【請求項６】
前記支持部材は、軸方向における少なくとも一部に雄ねじが螺刻された軸状部材として構成され、前記一のジブ体に形成されたねじ孔に対して、前記支持部材の一端を前記一のジブ体の内側に突出させた状態で螺着されており、当該一端に前記支持部材を軸回りに回転させるときに係合可能な係合部を備えていることを特徴とする請求項５に記載のジブ用スライドパッド取付構造。
【請求項７】
前記支持部材は、前記他のジブ体の内側面に向かって中空状に延びる中空状支持部材であって、
前記スライドパッドは、摺動面となる一端を外側に突出させた状態となるように前記中空状支持部材の内側に嵌め込まれていることを特徴とする請求項１に記載のジブ用スライドパッド取付構造。
【請求項８】
前記スライドパッドにおける摺動面と逆側の端面を支持する位置決め部材を備え、
当該位置決め部材は、軸方向における少なくとも一部に雄ねじが螺刻された軸状部材として構成され、前記中空状支持部材と同軸上において移動可能となるように、前記一のジブ体に形成されたねじ孔に対して螺着されていることを特徴とする請求項７に記載のジブ用スライドパッド取付構造。
【請求項９】
前記ジブを構成する複数のジブ体の壁面には開口部が形成されており、
当該開口部は、前記ジブが収縮した状態において、当該開口部を介して前記ジブの外側から前記支持部材までを直線的に連通可能となる位置に形成されていることを特徴とする請求項１乃至請求項８のいずれか１項に記載のジブ用スライドパッド取付構造。
【請求項１０】
前記一のジブ体は、基端部の端面から収縮方向に向かって延びるブラケットを備えており、
当該ブラケットは、前記一のジブ体の幅よりも狭い間隔で対向して延びる一対の支持壁を有し、
当該支持壁に前記支持部材が固定されていることを特徴とする請求項１乃至請求項９のいずれか１項に記載のジブ用スライドパッド取付構造。
【発明の詳細な説明】
【技術分野】
【０００１】
本発明は、クレーン等の作業機械の作業アタッチメントを構成する伸縮自在なジブに取り付けられるスライドパッドの取付構造に関する。
【背景技術】
【０００２】
従来、クレーンや高所作業車等の作業機械の作業アタッチメントを構成する伸縮自在なジブは、複数のジブ体を入れ子状に嵌挿した構成とされ、一のジブ体と当該一のジブ体の外側に配置される他のジブ体との間に介在させるスライドパッドを備えている。この種のスライドパッドは、一のジブ体の基端部が他のジブ体内の何処に位置していても各ジブ体を安定に支持できるよう、一のジブ体の基端側外側面と他のジブ体の先端側内側面の各々に装着される。
【０００３】
一のジブ体の基端部に対するスライドパッドの取付構造としては、特許文献１及び特許文献２に記載の取付構造が知られている。
特許文献１には、一方のブームを他方の角筒状ブームに伸縮可能に嵌入し、一方のブームの基部両側に他方のブームの内側面と摺動するサイドパッドをとりつけた構成をもつ油圧伸縮ブームクレーンの伸縮ブームにおいて、サイドパッドを一方のブームの側面にビスにて螺着するとともに、サイドパッドと一方のブームにわたって剪断ピンを設けるほか、サイドパッドの基面と一方のブームの側面との間に前記ビスおよび前記剪断ピンの位置に相当する位置に側部からＵ字状の切欠きをもつシムを介挿したことを特徴とするサイドパッド取付構造が記載されている。このサイドパッド取付構造では、シムの厚さ等を調整することにより、前記サイドパッドと前記他方のブームとの間の隙間を調整するようになっている。
また、特許文献２には、複数のブームが嵌挿されてなる伸縮自在なテレスコープ状の伸縮ブームにおいて、前記嵌挿される各ブームの基端側に嵌合孔を設け、該嵌合孔に、各ブームの面より突出させてパッドを嵌合すると共に、前記嵌合孔とパッドの何れか一方に、外側から該パッドに作用する押圧力に抗するためのストッパ部を設けたことを特徴とする伸縮ブームが記載されており、その一例として、ブーム基端部の嵌合孔に嵌め込んだパッドを当該ブームの内側からボルトで固定したものが開示されている。
【０００４】
【特許文献１】実公昭６１−１６３０６
【特許文献２】実開平７−３５４８４
【発明の開示】
【発明が解決しようとする課題】
【０００５】
しかしながら、特許文献１に記載されたジブ用スライドパッド取付構造は、サイドパッドを、当該サイドパッドの摺動面側からビスで螺着する構成であるため、当該ビスが緩んだ場合パッドが脱落してしまう虞がある。また、緩んだビスヘッドや、脱落したビスによりブームが傷つく虞もある。一方、特許文献２に記載の取付構造においては、パッドがブームに形成された嵌合孔に嵌め込まれているため、パッドの脱落が生じにくい構成ではあるものの、ブームに比較的大きな嵌合孔を形成する必要があり、ブーム強度を低下させる虞がある。
【０００６】
本発明は、上記実情に鑑みることにより、スライドパッドの脱落及びビスによるジブ体（特許文献１、特許文献２におけるブームを含む）の傷つきを防ぐことが可能であるとともに、ジブ体の強度を低下させることなくスライドパッドをジブ体に取付可能なジブ用スライドパッド取付構造を提供することを目的とする。
【課題を解決するための手段及び効果】
【０００７】
本発明は、クレーンのジブに取り付けられるスライドパッドの取付構造に関する。そして、本発明に係るジブ用スライドパッド取付構造は、上記目的を達成するために以下のようないくつかの特徴を有している。すなわち、本発明のジブ用スライドパッド取付構造は、以下の特徴を単独で、若しくは、適宜組み合わせて備えている。
【０００８】
上記目的を達成するための本発明に係るジブ用スライドパッド取付構造における第１の特徴は、複数のジブ体が嵌挿されてなる伸縮自在なジブにおいて、一のジブ体と当該一のジブ体の外側に配置される他のジブ体との間に配置されて当該他のジブ体の内側面と摺動するスライドパッドを、前記一のジブ体の基端側に取り付けたジブ用スライドパッド取付構造であって、前記一のジブ体には、前記他のジブ体の内側面に向かって突出する支持部材が設置されており、前記スライドパッドは、前記支持部材の突出方向と垂直な方向への相対移動が拘束されるように当該支持部材に対して嵌め込まれていることである。
【０００９】
この構成によると、支持部材に対して嵌め込むことでスライドパッドの取り付けが可能であり、スライドパッドの取り付けにビス等が不用となる。従って、ビス等により他のジブ体の内側面を傷つけることが防止される。
また、スライドパッドは、支持部材の突出方向においては、他のジブ体と当該支持部材とに挟みこまれた状態で取り付けられており、他のジブ体により当該突出方向への移動を拘束されている。また、当該突出方向に対して垂直な方向においては、支持部材により移動が拘束されている。これにより、スライドパッドの脱落を確実に防ぐことが可能となる。
更に、ジブ体に支持部材を設置して、当該支持部材を介してスライドパッドをジブ体に対して取り付けることを可能とする構成であるため、ジブ体の強度を低下させるような孔をジブ体に形成することは不要となる。これにより、スライドパッドの取付によりジブ体の強度が低下することを防ぐことができる。
【００１０】
尚、前記ジブには、例えばクレーン等における上部旋回体に対して起伏自在に装着された主ジブや、主ジブの先端に接続される補ジブが含まれる。つまり、主ジブやその構成部材のことを「ブーム」と称する場合があり、かかる場合は、補ジブのことを単に「ジブ」と称することもあるが、前記ジブは、主ジブ及び補ジブを含む概念である。
【００１１】
また、本発明に係るジブ用スライドパッド取付構造における第２の特徴は、前記スライドパッドは、前記他のジブ体の内側面との摺動面を有するパッド頭部と、当該パッド頭部における前記摺動面と逆側の端部から中空状に延びるパッド胴部と、を有し、前記支持部材の先端に当該パッド胴部が外嵌されていることである。
【００１２】
この構成によると、支持部材の先端に、当該支持部材の突出方向と略平行にパッド胴部を嵌め込むことにより、スライドパッドを取り付けることができるため、取り付け作業が容易になる。また、支持部材を単純な形状とすることができるため、支持部材の成形が容易になる。
【００１３】
また、本発明に係るジブ用スライドパッド取付構造における第３の特徴は、前記支持部材は、前記一のジブ体からの突出長さを調整可能に固定されていることである。
【００１４】
この構成によると、支持部材の突出長さを調整することで、当該支持部材に被装されたスライドパッドの摺動面と他のジブ体の内側面との隙間を調整することが可能となる。この場合、前記支持部材は後述する第８の特徴で挙げる位置決め部材としての機能も有する。
【００１５】
また、本発明に係るジブ用スライドパッド取付構造における第４の特徴は、前記支持部材は、軸方向における少なくとも一部に雄ねじが螺刻された軸状部材として構成され、前記一のジブ体に形成されたねじ孔に対して螺着されていることである。
【００１６】
この構成によると、支持部材を回転させることにより、当該支持部材をねじ孔に対して進退させて、当該支持部材の一のジブ体からの突出長さを連続的に調整することが可能である。これにより、当該支持部材に被装されたスライドパッドの摺動面と他のジブ体の内側面との隙間を簡易な機構で連続的に調整することが可能となり、微調整も容易となる。また、簡易な構成であるため隙間調整機構を構成するための部品点数を減らすことができ、製造コストを削減することができる。また、シム等により隙間を調整する場合に比べ、隙間調整作業が容易であり、迅速に行うことが可能となる。
【００１７】
また、本発明に係るジブ用スライドパッド取付構造における第５の特徴は、前記支持部材は、前記一のジブ体の内側から前記突出長さを調整可能であることである。
【００１８】
この構成によると、スライドパッドを支持部材に取り付けた状態で、支持部材が取り付けられたジブ体の内側から当該支持部材の突出長さを調整することができるため、スライドパッドの摺動面と他のジブ体の内側面との隙間の調整が容易になる。
【００１９】
また、本発明に係るジブ用スライドパッド取付構造における第６の特徴は、前記支持部材は、軸方向における少なくとも一部に雄ねじが螺刻された軸状部材として構成され、前記一のジブ体に形成されたねじ孔に対して、前記支持部材の一端を前記一のジブ体の内側に突出させた状態で螺着されており、当該一端に前記支持部材を軸回りに回転させるときに係合可能な係合部を備えていることである。
【００２０】
この構成によると、ジブの内側に支持部材の一端が突出しており、当該一端に係合部を有するため、例えば工具等を当該係合部に係合させて支持部材を回転させることができる。これにより、当該支持部材を回転させてジブに対して移動させる作業が容易になるため、スライドパッドの摺動面と他のジブ体の内側面との隙間の調整を効率よく行うことが可能となる。
【００２１】
また、本発明に係るジブ用スライドパッド取付構造における第７の特徴は、前記支持部材は、前記他のジブ体の内側面に向かって中空状に延びる中空状支持部材であって、前記スライドパッドは、摺動面となる一端を外側に突出させた状態となるように前記中空状支持部材の内側に嵌め込まれていることである。
【００２２】
この構成によると、スライドパッドを支持部材に挿入することで、スライドパッドをジブ体に対して取り付けることができるため、取り付け作業が容易になる。また、スライドパッドを単純な形状とすることができるため、スライドパッドの成形が容易になる。
【００２３】
また、本発明に係るジブ用スライドパッド取付構造における第８の特徴は、前記スライドパッドにおける摺動面と逆側の端面を支持する位置決め部材を備え、当該位置決め部材は、軸方向における少なくとも一部に雄ねじが螺刻された軸状部材として構成され、前記中空状支持部材と同軸上において移動可能となるように、前記一のジブ体に形成されたねじ孔に対して螺着されていることである。
【００２４】
この構成によると、位置決め部材の位置を調整することにより、スライドパッドが支持される位置を調整することができる。これにより、スライドパッドの摺動面と他のジブ体の内側面との隙間調整をすることが可能となる。
【００２５】
また、本発明に係るジブ用スライドパッド取付構造における第９の特徴は、前記ジブを構成する複数のジブ体の壁面には開口部が形成されており、当該開口部は、前記ジブが収縮した状態において、当該開口部を介して前記ジブの外側から前記支持部材までを直線的に連通可能となる位置に形成されていることである。
【００２６】
この構成によると、ジブが収縮した状態において、ジブ体の壁面に形成された開口部を介してスライドパッドの取り付けや位置調整が容易になる。また、スライドパッド等のメンテナンスが容易になる。
【００２７】
また、本発明に係るジブ用スライドパッド取付構造における第１０の特徴は、前記一のジブ体は、基端部の端面から収縮方向に向かって延びるブラケットを備えており、当該ブラケットは、前記一のジブ体の幅よりも狭い間隔で対向して延びる一対の支持壁を有し、当該支持壁に前記支持部材が固定されていることである。
【００２８】
この構成によると、一対の支持壁が一のジブ体の幅よりも狭い間隔で配置されており、当該支持壁と他のジブ体の内側面との間隔を広くすることができる。この場合、支持壁から突出する支持部材の長さをより長くすることができるとともに、当該支持部材に嵌合させるスライドパッドの当該突出方向における長さを長くすることができる。したがって、支持部材にスライドパッドを嵌め込む深さをより深くすることができ、支持部材によりスライドパッドを確実に固定することが可能となる。
【発明を実施するための最良の形態】
【００２９】
以下、本発明を実施するための最良の形態について図面を参照しつつ説明する。
【００３０】
（第１実施形態）
図１は、本発明の第１実施形態に係るジブ用スライドパッド取付構造を備えるホイールクレーン１を示す全体図である。
【００３１】
ホイールクレーン１は、車輪２ａ、２ｂを備えた下部走行体２と、当該下部走行体２上にて旋回軸受３を介して縦軸まわりに旋回自在に搭載された上部旋回体４と、当該上部旋回体４に設けられた走行時の運転室とクレーン作業時の操縦室を兼ねるキャブ５と、当該上部旋回体４に設けられキャブ５の前方に向かって延出する主ジブ６と、当該主ジブ６の延出方向先端部に接続される補ジブ７とを主たる構成要素として備える。
【００３２】
主ジブ６は、基本ジブ体６ａと、複数の可動ジブ体６ｂとが入れ子状に嵌合されて伸縮自在に構成される所謂箱型構造のジブである。最下段の基本ジブ体６ａの基端部は、ジブフットピン（図示せず）により上部旋回体４に枢支されており、当該ジブフットピンを支点として主ジブ６が起伏できるように構成されている。
【００３３】
補ジブ７は、第１ジブ体７１、第２ジブ体７２、第３ジブ体７３が入れ子状に嵌合されて伸縮自在に構成される所謂箱型構造のジブである。尚、図１においては、第１ジブ体７１から、第２ジブ体７２が第３ジブ体７３を内包した状態で前方へ延出した中間張出状態を示している。
【００３４】
補ジブ７の最下段に位置する第１ジブ体７１は、基端部が主ジブ６の先端部下側に位置する支持軸８に軸支される。また、第１ジブ体７１の先端部と、主ジブ６の先端部とは、棒状の連結部材であるジブサスペンションロッド９を介して連結されている。このように、補ジブ７は、第１ジブ体７１の両端を主ジブ６に対して連結されており、主ジブ６の起伏に伴って起伏するように構成される。
【００３５】
本発明の実施形態に係るジブ用スライドパッド取付構造は、上記のようなホイールクレーン１の作業アタッチメントを構成する主ジブ６及び補ジブ７に適用可能なものである。本実施形態においては、補ジブ７に当該スライドパッド取付構造を適用した場合を例に挙げて説明する。尚、本実施形態に係るスライドパッド取付構造は、補ジブ７における第２ジブ体７２と第３ジブ体７３との間に配置されるスライドパッド１０の取付構造として適用されている。
【００３６】
図２は、図１における補ジブ７を示す部分断面図であり、補ジブ７が完全に収縮した状態（第２ジブ体７２及び第３ジブ体７３が第１ジブ体７１側に引き込まれた状態）を模式的に示す図である。図３〜図６は、それぞれ、図２におけるＳ１−Ｓ１、Ｓ２−Ｓ２、Ｓ３−Ｓ３、Ｓ４−Ｓ４の断面矢視図である。
【００３７】
図２に示すように、補ジブ７は、外側から第１ジブ体７１、第２ジブ体７２、第３ジブ体７３の順で、それぞれ入れ子状に嵌合されて構成されている。図３〜図６に示すように、ジブ体７１〜７３は長手方向に対する垂直断面形状が略矩形状に形成されている。
【００３８】
第１ジブ体７１は、補ジブ７において最も外側に位置する角筒状のジブ体であり、当該第１ジブ体７１の周壁の内側面に沿って第２ジブ体７２が摺動できるように形成されている。
【００３９】
第２ジブ体７２は、第１ジブ体７１に内側に隣接配置される角筒状のジブ体である。当該第２ジブ体７２は、延出方向（図２、図７において矢印Ａ１で示す）の先端側において、図３に示すように、第１ジブ体７１の側壁７１ｃ，７１ｃに設置されたスライドパッド８１，８１，８２，８２により幅方向（図３〜図６において矢印Ｂで示す）の移動を所定範囲内で拘束された状態で、ジブ体の延出方向又は当該延出方向と逆方向である収縮方向（図２において矢印Ａ２で示す）に移動可能に構成されている。また、延出方向先端側において、第２ジブ体７２の下側部分７２ａは、第１ジブ体７１の先端に設置された幅方向に延びる回転軸８３ａを有する下部ローラ８３により支持されている。
【００４０】
また、第２ジブ体７２は、第１ジブ体７１の先端から当該第２ジブ体７２の全長の約１／４程度基端側に近づいた位置において、図４に示すように、第１ジブ体７１の側壁７１ｃ，７１ｃに設けられたスライドパッド８４，８４により幅方向の移動を所定範囲内で拘束されている。そして、第１ジブ体７１における当該スライドパッド８４が設置される位置よりも基端側には、幅方向に延びる回転軸８５ａを有する上部ローラ８５が設けられており、当該上部ローラ８５により第２ジブ体７２の上側部分７２ｂが案内されるように構成されている。
【００４１】
また、図２に示すように、第２ジブ体７２は、基端部近傍において、基端側に近づくにつれ第１ジブ体７１の下側部分７１ａから離隔するように傾斜した傾斜壁部７２ｔを備えている。当該傾斜壁部７２ｔには、第２ジブ体７２の幅方向に延びる回転軸を有するローラ８６が設置されている。第２ジブ体７２は当該ローラ８６を介して基端側を第１ジブ体７１の下側部分７１ａに支持されている。
【００４２】
第３ジブ体７３は、第２ジブ体７２の内側に隣接配置される角筒状のジブ体であり、角筒状に形成された本体と、当該本体の基端側に設けられたブラケット２０とを有して構成される。第３ジブ体７３は、延出方向先端側において、図５に示すように、第２ジブ体７２の一対の側壁７２ｃ，７２ｃに設置されたスライドパッド８７，８７，８８，８８により幅方向における移動が所定範囲内で拘束された状態で、延出方向又は収縮方向に摺動可能に構成されている。また、延出方向先端側において、図６に示すように、第３ジブ体７３の下側部分７３ａは、第２ジブ体７２の先端に設けられた幅方向に延びる回転軸８９ａを有する下部ローラ８９により支持されている。尚、第２ジブ体７２のスライドパッド８７、８８、下部ローラ８９は、補ジブ７が完全に収縮した状態で、当該第１ジブ体７１の外側に延出する第２ジブ体７２の先端部近傍に設けられている。
【００４３】
次に、本発明のスライドパッド取付構造が適用されている補ジブ７の基端側の構造について詳細に説明する。図７は、図２に示す補ジブ７の基端側における第２ジブ体７２と第３ジブ体７３との拡大部分断面図である。また、図８は、図７におけるＳ５−Ｓ５の部分断面矢視図であり、第２ジブ体７２及び一のスライドパッド１０を断面で示した図である。また、図９は、図７におけるＳ６−Ｓ６の部分断面矢視図であり、第２ジブ体７２を断面で示している。
【００４４】
図７に示すように、第３ジブ体７３は、基端部近傍において基端側に近づくにつれ第２ジブ体７２の下側部分７２ａから離隔するように傾斜した傾斜壁部７３ｔを備えている。当該傾斜壁部７３ｔには、第３ジブ体７３の幅方向に延びる回転軸を有するローラ９０が設置されている。第３ジブ体７３は当該ローラ９０を介して基端側を第２ジブ体７２の下側部分７２ａに支持されている。
【００４５】
また、図７、図８に示すように、第３ジブ体７３の基端側の上側部分７３ｂには、幅方向に並んで、当該第３ジブ体７３の長手方向と平行に延びる略矩形状のスライドパッド９１，９１が設置されており、第２ジブ体７２の上側部分７２ｂと摺設可能となっている。尚、当該スライドパッド９１は、長手方向における２箇所で、第３ジブ体７３の上側部分７３ｂに対して固定されている。
【００４６】
また、第３ジブ体７３の基端側の端面７３ｅには、当該端面７３ｅから収縮方向に向かって延びるブラケット２０が一体的に形成されている。当該ブラケット２０は、第３ジブ体７３の基端側の端面７３ｅから幅方向に所定の間隔を空けて平行に延びる一対の支持壁２１，２１と、当該一対の支持壁の先端を繋ぐ連結壁２２とを備える略Ｕ字状に屈曲した鋼板により形成されている。当該ブラケット２０は、第３ジブ体７３の基端側の端面７３ｅに対して例えば溶接により固定されている。また、一対の支持壁２１，２１は、第３ジブ体７３の幅よりも狭い間隔で互いに対向するように形成されており、例えば、当該第３ジブ体７３の幅の約１／２の間隔となるように形成されている。
【００４７】
また、第２ジブ体７２の傾斜壁部７２ｔには、開口部７２ｈが形成されている。当該開口部７２ｈは、直径約１００ｍｍの開口であり、当該開口部７２ｈを介して第２ジブ体７２の外側から直線的にブラケット２０に連通可能となる位置に形成されており、具体的には、ブラケット２０を傾斜壁部７２ｔに正投影させた位置の少なくとも一部を含むように形成されている。尚、図２に示すように、第１ジブ体７１の下側部分７１ａには、当該第２ジブ体７２の開口部７２ｈに近接する位置に開口部７１ｈを有している。これにより、当該開口部７１ｈ及び開口部７２ｈを介して補ジブ７の外側からブラケット２０及びブラケット２０に設置されたスライドパッド１０までが直線的に連通されている。
【００４８】
図８、図９に示すように、支持壁２１には、幅方向に向かって当該支持壁２１を貫通するねじ孔２１ａが形成されている。当該ねじ孔２１ａには、ヘッド部２３ａと軸部２３ｂとを有するパッド支持用ボルト２３（支持部材）が螺着されている。当該パッド支持用ボルト２３は、第２ジブ体７２の内側面７２ｉに対向する支持壁２１の表面から、ヘッド部２３ａを第２ジブ体７２の内側面７２ｉに向かって突出させるように螺着されており、ヘッド部２３ａと支持壁２１の表面との間の軸部２３ｂには、当該パッド支持用ボルト２３の位置を固定するためのナット２４が締め込まれている。このパッド支持用ボルト２３のヘッド部２３ａの突出長さを調整することにより、後述する当該ヘッド部２３ａを内包するように嵌め込まれて設置されるスライドパッド１０の位置（スライドパッド１０の摺動面１１ａと第２ジブ体の内側面７２ｉとの隙間）が適切に調整されることになる。
【００４９】
パッド支持用ボルト２３には、ヘッド部２３ａを覆うように、キャップ状に形成されたスライドパッド１０が嵌め込まれている。スライドパッド１０は、第２ジブ体７２の内側面７２ｉとの摺動面１１ａを有するパッド頭部１１と、当該パッド頭部１１における前記摺動面１１ａと逆側の端部から中空状に延びるパッド胴部１２と、を有して構成される。パッド頭部１１における摺動面１１ａの縁部は曲面状になるように形成されている。
【００５０】
パッド胴部１２の内径は、パッド支持用ボルト２３のヘッド部２３ａに嵌め込まれたときに、ヘッド部２３ａとの間に所定の遊びができるように、ヘッド部２３ａの外径よりも大きく形成されている。例えば、ヘッド部２３ａの外径が約２４ｍｍであるのに対してパッド胴部１２の内径は約２５ｍｍとなるように形成され、パッド胴部１２の内径が、ヘッド部２３ａの外径に比べ約１ｍｍ程度大きくなるように形成されている。
【００５１】
また、一対のスライドパッド１０，１０がヘッド部２３ａ，２３ａに嵌め込まれたときに、第３ジブ体７３の両側に位置する摺動面１１ａ，１１ａの間隔が、第３ジブ体７３の外側面７３ｉ，７３ｉの幅方向の間隔よりも広く、第２ジブ体７２の内側面７２ｉ，７２ｉの幅方向の間隔（約２００ｍｍ）よりも約２ｍｍ〜３ｍｍ狭くなるようにヘッド部２３ａ，２３ａの位置が調整されている。尚、一対のスライドパッド１０，１０が第３ジブ体７３の幅方向の中心面に対して略対称に位置するように調整することが望ましい。
【００５２】
このように、第３ジブ体７３の基端における、幅方向の両端においてスライドパッド１０を取り付けることにより、当該スライドパッド１０と第２ジブ体７２の内側面７２ｉとが当接することで、第３ジブ体７３の幅方向における移動が所定の範囲内となるように拘束されるとともに、第３ジブ体７３と第２ジブ体７２との摺動抵抗を低減することができる。
【００５３】
ここで、図３、図４に示すように、第１ジブ体７１に対する第２ジブ体７２の摺動移動を案内するためのスライドパッド８１，８２，８４は、第１ジブ体７１が補ジブ７において最も外側に位置するジブ体であるため、当該スライドパッド８１，８２，８４の支持部材やボルト等の位置決め部材が外側に突出するように構成することが可能である。また、第２ジブ体７２に対する第３ジブ体７３の摺動移動を案内するために、第２ジブ体７２に設けられたスライドパッド８７，８８は、第２ジブ体７２において常に第１ジブ体７１の外側に延出する部分に設けられているため、当該スライドパッド８７，８８の支持部材やボルト等の位置決め部材が外側に突出するように構成することが可能である。しかしながら、第２ジブ体７２における、補ジブ７が収縮したときに第１ジブ体７１の内側に入り込む位置には、第１ジブ体７１との干渉してしまう虞があるために当該第２ジブ体７２の外側に突出するようなスライドパッドの取付構造を採用することは困難である。この点、本実施形態に係るスライドパッドの取付構造においては、第３ジブ体７３にスライドパッド１０を取り付け、第２ジブ体７２の内側面７２ｉに対して摺動できるような構造であるため、第２ジブ体７２から取付部材が突出して第１ジブ体７１に干渉することはない。したがって、本発明に係るスライドパッド取付構造は、少なくとも３以上のジブ体が嵌挿されてなる伸縮自在なジブにおいて、少なくとも２以上のジブ体が外側に配置されているジブ体の基端側にスライドパッドを取り付ける場合に特に有効である。
【００５４】
以上、説明したように、第１実施形態に係るジブ用スライドパッド取付構造は、３つのジブ体（７１，７２，７３）が嵌挿されてなる伸縮自在な入れ子状の補ジブ７において、第３ジブ体７３と当該第３ジブ体７３の外側に配置される第２ジブ体７２との間に配置されて当該第２ジブ体７２の内側面７２ｉと摺動するスライドパッド１０を、前記第３ジブ体７３の基端側に取り付けたものである。
【００５５】
そして、前記第３ジブ体７３には、前記第２ジブ体７２の内側面７２ｉに向かって突出するパッド支持用ボルト２３が設置されており、前記スライドパッド１０は、前記パッド支持用ボルト２３の突出方向と垂直な方向への相対移動が拘束されるように当該パッド支持用ボルト２３に対して嵌め込まれている。即ち、第３ジブ体７３が延出方向又は収縮方向に移動したときに、当該第３ジブ体７３に設置されるパッド支持用ボルト２３とともにスライドパッド１０が移動するように構成される。
【００５６】
この構成によると、パッド支持用ボルト２３に対して嵌め込むことでスライドパッド１０の取り付けが可能であり、スライドパッド１０の取り付けにビス等が不用となる。従って、ビス等により第２ジブ体７２の内側面７２ｉを傷つけることが防止される。
【００５７】
また、スライドパッド１０は、補ジブ７の幅方向（パッド支持用ボルト２３の突出方向）においては、第２ジブ体７２と当該パッド支持用ボルト２３とに挟みこまれた状態で取り付けられており、第２ジブ体７２により当該突出方向への移動を拘束されている。また、当該突出方向に対して垂直な方向においては、パッド胴部１２の内壁面がパッド支持用ボルト２３に当接することによりスライドパッド１０の移動が拘束されている。これにより、スライドパッド１０の脱落を確実に防ぐことが可能となる。
【００５８】
更に、第３ジブ体７３にパッド支持用ボルト２３を設置して当該パッド支持用ボルト２３を介してスライドパッド１０を第３ジブ体７３に対して取り付けることを可能とする構成であるため、第３ジブ体７３の強度を低下させるような過度に大きな孔を第３ジブ体７３に形成することは不要となる。これにより、スライドパッド１０の取り付けにより第３ジブ体７３の強度が低下することを防ぐことができる。
【００５９】
また、スライドパッド１０は、第２ジブ体７２の内側面７２ｉとの摺動面１１ａを有するパッド頭部１１と、当該パッド頭部１１における前記摺動面１１ａと逆側の端部から中空状に延びるパッド胴部１２と、を有する一端を開口したキャップ形状のパッドとして形成されている。そして、当該スライドパッド１０は、パッド支持用ボルト２３の先端に当該パッド胴部１２が外嵌されている。
【００６０】
この構成によると、パッド支持用ボルト２３の先端に、当該パッド支持用ボルト２３の突出方向と略平行にパッド胴部１２を嵌め込むことにより、スライドパッド１０を取り付けることができるため、取り付け作業が容易になる。また、パッド支持用ボルト２３を単純な形状とすることができるため、パッド支持用ボルト２３に複雑な加工を施す必要はなく、低コストで取付構造を構成することができる。
【００６１】
また、パッド支持用ボルト２３は、ブラケット２０から第２ジブ体７２の内側面７２ｉに向かっての突出長さを調整可能であるため、パッド支持用ボルト２３の突出長さを調整することで、当該パッド支持用ボルト２３に被装されたスライドパッド１０の摺動面１１ａと第２ジブ体７２の内側面７２ｉとの隙間を調整することが可能となる。
【００６２】
また、パッド支持用ボルト２３は、軸部２３ｂに雄ねじが螺刻された軸状部材として構成され、第３ジブ体７３が端部に備えるブラケット２０に形成されたねじ孔２１ａに対して螺着されているため、パッド支持用ボルト２３を回転させることにより、パッド支持用ボルト２３をねじ孔２１ａに対して進退させて、パッド支持用ボルト２３のブラケット２０からの突出長さを連続的に調整することが可能である。これにより、当該パッド支持用ボルト２３に被装されたスライドパッド１０の摺動面１１ａと第２ジブ体７２の内側面７２ｉとの隙間を簡易な機構で連続的に調整することが可能となり、微調整も容易となる。この場合、隙間調整機構を簡易に構成できるため、スライドパッド取付構造を構成するために要する部品点数を減らすことができ、製造コストを削減することができる。また、シム等により隙間を調整する場合に比べ、隙間調整作業が容易であり、迅速に行うことが可能となる。
【００６３】
また、前記補ジブ７を構成する最も外側の第１ジブ体７１及び当該第１ジブ体７１の内側に隣接して配置される第２ジブ体７２の壁面には円形状の開口部７１ｈ，７２ｈが形成されており、当該開口部７１ｈ，７２ｈは、前記補ジブ７が収縮した状態において、当該開口部７１ｈ，７２ｈを介して前記補ジブ７の外側から前記パッド支持用ボルト２３までを直線的に連通可能となる位置に形成されている。
【００６４】
この構成によると、補ジブ７が収縮した状態において、第１ジブ体７１及び第２ジブ体７２の壁面に形成された開口部７１ｈ，７２ｈを介して、スライドパッド１０のメンテナンスが容易になる。
【００６５】
また、前記第３ジブ体７３は、基端部の端面７３ｅから収縮方向に向かって延びるブラケット２０を備えており、当該ブラケット２０は、前記第３ジブ体７３の幅よりも狭い間隔で対向して補ジブ７の伸縮方向と略平行に延びる一対の支持壁２１，２１を有し、当該支持壁２１，２１に形成されたねじ孔２１ａに対して、前記パッド支持用ボルト２３が螺合されている。
【００６６】
この構成によると、一対の支持壁２１，２１が第３ジブ体７３の幅よりも狭い間隔で配置されており、当該支持壁２１と第２ジブ体７２の内側面７２ｉとの間隔を広くすることができる。この場合、支持壁２１から突出するパッド支持用ボルト２３の長さをより長くすることができるとともに、当該パッド支持用ボルト２３に嵌合させるスライドパッド１０の当該突出方向における長さをより長くすることができる。したがって、パッド支持用ボルト２３にスライドパッド１０を嵌め込む深さをより深くすることができ、パッド支持用ボルト２３によりスライドパッド１０を確実に固定することが可能となる。
【００６７】
また、スライドパッド１０とパッド支持用ボルト２３のヘッド部２３ａとは、径方向において所定の隙間を有するように嵌合されているため、パッド胴部１２内において、パッド支持用ボルト２３の傾き（パッド胴部１２の円筒軸に対する軸部２３ｂの傾き）が所定量許容される。これにより、例えば、図１０にスライドパッド１０近傍部分の拡大図を示すように、補ジブ７が伸縮動作を行う際に第３ジブ体７３が傾き、パッド支持用ボルト２３の軸Ｃ１が第２ジブ体７２の内側面７２ｉに対して非直交状態に移行した場合であっても、スライドパッド１０の摺動面１１ａと第２ジブ体７２の内側面７２ｉとが平行に保たれる（即ち、スライドパッド１０の円筒軸Ｃ２は内側面７２ｉに対して直交状態に保たれる）。これにより、スライドパッド１０の偏磨耗を防ぐことが可能であり、耐久性を向上させることができる。
【００６８】
また、第２ジブ体７２の内側面７２ｉにスライドパッド１０が片当りして大きな曲げモーメントがパッド支持用ボルト２３に作用してしまうことを防ぐことができる。これにより、強度確保のためにパッド支持用ボルト２３の軸部２３ｂを太くする等、支持部材を大型化する必要はなく、スライドパッドの支持部材をより小型化することができる。
【００６９】
また、スライドパッド１０の摺動面１１ａ，１１ａの間隔が、第３ジブ体７３の外側面７３ｉ，７３ｉの幅方向の間隔よりも広くなるように形成されているため、第３ジブ体７３の外側面７３ｉが第２ジブ体７２の内側面７２ｉに当接することを防ぐことができる。
【００７０】
（第２実施形態）
図１１及び図１２は、第２実施形態に係るジブ用スライドパッド取付構造を示す部分断面図であり、第１実施形態の説明で用いた図７におけるＳ５−Ｓ５の断面矢視図である図８、及び、Ｓ６−Ｓ６の断面矢視図である図９にそれぞれ相当する。第２実施形態に係るジブ用スライドパッド取付構造は、第１実施形態におけるスライドパッド１０を支持するパッド支持用ボルト２３の構成が異なる点で、第１実施形態のスライドパッド取付構造と異なる。スライドパッド１０の形状その他補ジブ７の構成は第１実施形態と同様であり、同一部材には同一符号を付し説明を省略する。
【００７１】
図１１、図１２に示すように、第２実施形態に係るパッド支持用ボルト２５は、ヘッド部２５ａと軸部２５ｂとを有し、ブラケット２０の支持壁２１に形成されたねじ孔２１ａに螺着されている。パッド支持用ボルト２５は、軸部２５ｂにおけるヘッド部２５ａと逆側の端部を、支持壁２１から、第３ジブ体７３の幅方向中央側に延出するようにねじ孔２１ａに螺着されている。そして、当該端部の外周面には部分的に、軸に対して対称に面取りされた平面部２５ｃ（係合部）が形成されている。そして、ヘッド部２５ａとは支持壁２１を挟んで逆側における軸部２５ｂには、当該パッド支持用ボルト２５の位置を固定するためのナット２６が締め込まれている。尚、第１実施形態と同様に、当該パッド支持用ボルト２５は、第２ジブ体７２の内側面７２ｉに対向する支持壁２１の表面から、ヘッド部２５ａを第２ジブ体７２の内側面７２ｉに向かって突出させるように螺着されている。
【００７２】
このように、第２実施形態に係るスライドパッド取付構造においては、パッド支持用ボルト２５は、ブラケット２０の内側から第２ジブ体７２の内側面７２ｉに向かう突出長さを調整可能となるように取り付けられている。即ち、第３ジブ体７３の幅方向中央側に延出する軸部２５ｂに設置されたナット２６を緩め、当該軸部２５ｂの端部に形成された平面部２５ｃにスパナ等の工具を係合させてパッド支持用ボルト２５をねじ孔に対して回転させることで、前記ブラケット２０の内側からヘッド部２５ａの突出長さを調整可能である。
【００７３】
この構成によると、スライドパッド１０をパッド支持用ボルト２５に取り付けた状態で、パッド支持用ボルト２５が取り付けられたブラケット２０の内側、即ち、支持壁２１における第２ジブ体７２に対向する側の表面とは逆側の表面側から、ヘッド部２５ａの突出長さを調整することができる。これにより、スライドパッド１０の摺動面１１ａと第２ジブ体７２の内側面７２ｉとの隙間の調整が容易になる。
【００７４】
また、前記パッド支持用ボルト２５は、軸部２５ｂの略全域に亘って雄ねじが螺刻された軸状部材として構成され、前記第３ジブ体７３が備えるブラケット２０に形成されたねじ孔２１ａに対して、軸部２５ｂの一端を前記ブラケット２０の内側、即ち、支持壁２１における第２ジブ体７２に対向する側の表面とは逆側の表面側に突出させた状態で螺着されており、当該一端に、前記パッド支持用ボルト２５を軸回りに回転させるときに係合可能な平面部２５ｃが形成されている。尚、軸部２５ｂは、互いに平行な２つの平面部２５ｃを少なくとも有している。
【００７５】
この構成によると、第３ジブ体７３の幅方向中央側に向かってパッド支持用ボルト２５の軸部２５ｂの一端が突出しており、当該一端に平面部２５ｃを有するため、当該面取りされた平面部２５ｃにスパナ等の工具を係合させてパッド支持用ボルト２５に容易に回転力を付与することができる。これにより、当該パッド支持用ボルト２５を回転させて第３ジブ体７３に対して移動させる作業が容易になるため、スライドパッド１０の摺動面１１ａと第２ジブ体７２の内側面７２ｉとの隙間の調整を効率よく行うことが可能となる。尚、軸部２５ｂの端部を切り欠いて平面部２５ｃを形成する場合に限らず、当該軸部２５ｂの端部に、パッド支持用ボルト２５を軸回りに回転させるときに係合可能な係合部材を固定した構成であってもよい。
【００７６】
このように、パッド支持用ボルト２５は、スライドパッド１０を支持する支持部材としての機能を有するとともに、スライドパッド１０の位置を調整する位置決め部材としての機能を有する。これにより、スライドパッド１０の位置調整を可能とするスライドパッドの取付構造を部品点数を少なく構成することができる。
【００７７】
また、第３ジブ体７３の外側に位置する第１ジブ体７１及び第２ジブ体７２には、開口部７１ｈ及び開口部７２ｈが形成されているため、補ジブ７が収縮した状態において、当該開口部７１ｈ及び７２ｈを介して、工具等によりパッド支持用ボルト２５を回転させることが可能である。これにより、更に隙間調整の作業性を向上させることができる。尚、開口部７１ｈ、７２ｈは、工具の挿入が可能な大きさとして形成される。また、開口部７１ｈ、７２ｈを遮断する蓋を設けて、隙間調整やメンテナンスを行うとき以外は、閉めた状態とすることも可能である。これにより、開口部７１ｈ、７２ｈを介してジブ体の内側に砂や水等が侵入することを防ぐことができる。
【００７８】
尚、ジブ体が基端部にブラケットを備え、当該ブラケットにスライドパッドを支持するパッド支持用ボルト等の支持部材を取り付ける構成に限定されず、例えば、長手方向に延びるジブ体の本体を形成する左右一対の側壁にねじ孔を形成して、支持部材を取り付ける構成であってもよい。この場合、ジブ体の内側、即ち、左右一対の側壁に挟まれた空間側にパッド支持用ボルトの軸部が延出するように設置することで、当該延出した軸部に回転力を加えることで、ジブ体の内側からパッド支持用ボルトの頭部に嵌め込まれたスライドパッドの位置を容易に調整できる。
【００７９】
（第３実施形態）
図１３及び図１４は、第３実施形態に係るジブ用スライドパッド取付構造を示す部分断面図であり、第１実施形態の説明で用いた図７におけるＳ５−Ｓ５断面矢視図である図８、及び、Ｓ６−Ｓ６断面矢視図である図９にそれぞれ相当する。第３実施形態に係るジブ用スライドパッド取付構造は、第１実施形態におけるスライドパッド１０、及び当該スライドパッド１０を支持するパッド支持用ボルト２３の構成が異なる点で、第１実施形態のスライドパッド取付構造と異なる。その他補ジブ７の構成は第１実施形態と同様であり、同一部材には同一符号を付し説明を省略する。
【００８０】
図１３、図１４に示すように、ブラケット２０の支持壁２１には、第２ジブ体７２の内側面７２ｉに対向する側の表面に円筒状の中空状支持部材２７が接合されている。当該中空状支持部材２７は、円筒中心軸がねじ孔２１ａの中心軸と略同軸になるように設置されている。尚、中空状支持部材２７は、例えば溶接等によりブラケット２０に対して接合される。
【００８１】
また、ねじ孔２１ａには、ボルト２８（位置決め部材）が螺着されている。ボルト２８は、第３ジブ体７３の幅方向中央側にヘッド部２８ａが位置するようにねじ孔２１ａに螺入されており、軸部２８ｂの端部を支持壁２１から第２ジブ体７２の内側面７２ｉの側へ突出させることが可能となっている。また、軸部２８ｂに設けられたナット２９を締め付けることで、ボルト２８の支持壁２１に対する位置を固定することができる。
【００８２】
スライドパッド１３は、中空状支持部材２７の内径よりも約１ｍｍ程度小さい外径を有する略円柱状に形成されている。そして、スライドパッド１３は、円柱軸方向と略直交する端面である摺動面１３ａを第２ジブ体７２の内側面７２ｉに向けた状態で中空状支持部材２７の内側に嵌め込まれている。当該摺動面１３ａの縁部は曲面状になるように形成されている。また、摺動面１３ａとは逆側の端面１３ｂがねじ孔２１ａに螺着されたボルト２８の軸部２８ｂの端部に当接することで、スライドパッド１３の支持壁２１側への移動が拘束されている。
【００８３】
このように、第３実施形態に係るスライドパッド取付構造におけるスライドパッド１３を支持する支持部材は、第２ジブ体７２の内側面７２ｉに向かって中空状に延びる中空状支持部材２７であって、前記スライドパッド１３は一端を摺動面１３ａとする円柱状に形成され、摺動面１３ａを外側に突出させた状態となるように前記中空状支持部材２７の内側に嵌め込まれている。
【００８４】
この構成によると、スライドパッド１３を中空状支持部材２７に挿入することで、スライドパッド１３を第３ジブ体７３に対して取り付けることができるため、取り付け作業が容易になる。また、スライドパッド１３を単純な形状とすることができるため、スライドパッド１３の成形が容易になる。また、スライドパッド１３は、円柱状に形成されたスライドパッド１３の円柱高さが、円筒状に形成された中空状支持部材２７の円柱高さと略同程度の高さになるように形成されている。これにより、ボルト２８の軸部２８ｂを支持壁２１から中空状支持部材２７の内側に突出させることで、スライドパッド１３の摺動面１３ａが中空状支持部材２７から外側に突出した状態となり、中空状支持部材２７が第２ジブ体７２の内側面７２ｉに当接することを防ぐことができる。
【００８５】
また、前記スライドパッド１３における摺動面１３ａと逆側の端面１３ｂを支持する位置決め部材としてのボルト２８を備えている。当該ボルト２８は、軸部２８ｂに雄ねじが螺刻された軸状部材であり、前記中空状支持部材２７と同軸上において移動可能となるように第３ジブ体７３が備えるブラケット２０に形成されたねじ孔２１ａに対して螺着されている。
【００８６】
この構成によると、ボルト２８の第３ジブ体７３の幅方向における位置を調整することにより、スライドパッド１３の当該幅方向における位置を調整することができる。これにより、スライドパッド１３の摺動面１３ａと第２ジブ体７２の内側面７２ｉとの隙間調整をすることが可能となる。また、ボルト２８を回転することにより、スライドパッド１３の位置を連続的に調整できる構成であるため、スライドパッド１３の位置の微調整を行うことも可能である。
【００８７】
以上、本発明の実施形態について説明したが、本発明は上述の実施の形態に限られるものではなく、特許請求の範囲に記載した限りにおいて様々な変更をして実施することができるものである。
【００８８】
（１）補ジブ７に適用する場合に限らず、主ジブ６における複数の可動ジブ体間にスライドパッドを取り付ける構造として、本発明のスライドパッド取付構造を適用することも可能である。また、補ジブ７における第２ジブ体７２の基端部に本発明のスライドパッド取付構造を適用することも可能である。
【００８９】
（２）パッド支持用ボルトを支持部材として用いて、スライドパッドの位置をジブ体の幅方向において連続的に変化可能とする場合に限らず、スライドパッドの位置が当該幅方向において段階的に変化するように、支持部材の突出長さを調整可能に構成してもよい。例えば、支持部材の外面において突出方向に凹凸を繰返し並べて凹凸面を形成し、当該凹凸面に対してジブ体側に設けられた例えば弾性材料等で形成された係合部材が係合することで、ジブ体と支持部材とが連結し、支持部材に対して突出方向への付勢力を与えることで係合部材が弾性変形して凹凸を乗り越え、支持部材の位置が変化する構成であってもよい。
【００９０】
（３）スライドパッドのパッド胴部は、円筒状に限らず、パッド支持用ボルトのヘッド部を嵌め込むことが可能な多角筒状であってもよい。
【図面の簡単な説明】
【００９１】
【図１】本発明の第１実施形態に係るジブ用スライドパッド取付構造を備えるホイールクレーンを示す全体図である。
【図２】図１における補ジブが完全に収縮した状態を示す部分断面図である。
【図３】図２におけるＳ１−Ｓ１の断面矢視図である。
【図４】図２におけるＳ２−Ｓ２の断面矢視図である。
【図５】図２におけるＳ３−Ｓ３の断面矢視図である。
【図６】図２におけるＳ４−Ｓ４の断面矢視図である。
【図７】図２に示す補ジブの基端側の拡大部分断面図である。
【図８】図７におけるＳ５−Ｓ５の部分断面矢視図である。
【図９】図７におけるＳ６−Ｓ６の部分断面矢視図である。
【図１０】スライドパッド近傍部分の拡大図である。
【図１１】第２実施形態に係るジブ用スライドパッド取付構造を示す部分断面図である。
【図１２】第２実施形態に係るジブ用スライドパッド取付構造を示す部分断面図である。
【図１３】第３実施形態に係るジブ用スライドパッド取付構造を示す部分断面図である。
【図１４】第３実施形態に係るジブ用スライドパッド取付構造を示す部分断面図である。
【符号の説明】
【００９２】
１      ホイールクレーン
２      下部走行体
４      上部旋回体
６      主ジブ（ジブ）
７      補ジブ（ジブ）
１０    スライドパッド
１１    パッド頭部
１２    パッド胴部
１３    スライドパッド
２０    ブラケット
２１    支持壁
２３、２５  パッド支持用ボルト（支持部材）
２５ｃ  平面部（係合部）
２７    中空状支持部材
２８    ボルト（位置決め部材）
７１    第１ジブ体（ジブ体）
７１ｈ  開口部
７２    第２ジブ体（ジブ体）
７２ｉ  内側面
７２ｈ  開口部
７３    第３ジブ体（ジブ体）
【図１】
2008265928.tif 000003
【図２】
2008265928.tif 000004
【図３】
2008265928.tif 000005
【図４】
2008265928.tif 000006
【図５】
2008265928.tif 000007
【図６】
2008265928.tif 000008
【図７】
2008265928.tif 000009
【図８】
2008265928.tif 000010
【図９】
2008265928.tif 000011
【図１０】
2008265928.tif 000012
【図１１】
2008265928.tif 000013
【図１２】
2008265928.tif 000014
【図１３】
2008265928.tif 000015
【図１４】
2008265928.tif 000016